(57)【要約】【課題】通気損失が小さく、塵埃収容器に溜ったごみの圧縮性を高める。【解決手段】本体前部に設けたホース接続口部１０と、その後部に位置し集塵ケース５を収納する集塵ケース収納部９と、その後部に配置された電動送風機を備えた電気掃除機本体２において、集塵ケース５は、ホース接続口部１０に挿入されるホース１２と連通するための流入口３０と、電動送風機の吸引口に対向して設けられた開口部を有する本体部と、開口部を覆い吸引された空気の塵埃を除去する第２フィルター２１を有する蓋体とを備え、集塵ケース５内に塵埃収容器２０Ａ，２０Ｂを設け、流入口３０の中心軸が塵埃収容器２０Ａ，２０Ｂの外郭形状と略平行に電動送風機の中心軸へ向いて傾斜する。【選択図】  図６
2010253134.tif 000002
【特許請求の範囲】
【請求項１】
本体吸入口と、吸入口の後部に位置し着脱自在な集塵ケースを収納する集塵ケース収納部と、集塵ケース収納部の後部に配置された電動送風機を備えた電気掃除機本体を備えた電気掃除機において、
集塵ケースは、吸入口に挿入されるホースと連通するための流入口と、電動送風機の吸引口に対向して設けられた開口部を有するケース本体部と、開口部を覆い吸引された空気の塵埃を除去するフィルターを有する蓋体とを備え、
集塵ケース内に塵埃収容器を設け、流入口の中心軸が該塵埃収容器の外郭形状と略平行に電動送風機の中心軸へ向いて傾斜することを特徴とする電気掃除機。
【請求項２】
請求項１に記載の電気掃除機において、
流入口の内径は、開口部に向かって拡がる形状を有することを特徴とする電気掃除機。
【請求項３】
本体吸込口と本体吸込口に連通する収容部と収容部に連通する電動送風機と収容部に着脱自在な集塵ケースとを備えた掃除機本体を備えた電気掃除機において、
集塵ケースは、吸入口に挿入されるホースと連通可能な流入管と、電動送風機の吸引口に連通可能な開口とを備え、
集塵ケースは、流入管に連通し容器形状を有する部材を内包し、
容器形状を有する部材は、樹脂または金属で形成され、
容器形状を有する部材は、通気性を有し、
流入管は、容器形状を有する部材の内壁面の形成方向に沿った方向に形成されることを特徴とする電気掃除機。
【請求項４】
請求項３に記載の電気掃除機において、
流入管の断面は、容器形状を有する部材と連通する側に向かって拡大することを特徴とする電気掃除機。
【請求項５】
請求項３または４に記載の電気掃除機において、
流入管の端部は、容器形状を有する部材の下側の内壁面に近接または当接し、
流入管は、容器形状を有する部材の下側の内壁面の形成方向に沿った方向に形成されることを特徴とする電気掃除機。
【請求項６】
請求項３から５の何れかに記載の電気掃除機において、
流入管の端部は、容器形状を有する部材の流入管が連通する壁面よりも容器形状を有する部材の内側に突出することを特徴とする電気掃除機。
【請求項７】
本体吸込口と本体吸込口に連通する収容部と収容部に連通する横置きの電動送風機と収容部に着脱自在な集塵ケースとを備えた掃除機本体を備えた電気掃除機において、
集塵ケースは、吸入口に挿入されるホースと連通可能な流入管と、電動送風機の吸引口に連通可能な開口とを備え、
集塵ケースは、流入管に連通し容器形状を有する部材を内包し、
容器形状を有する部材は、樹脂または金属で形成され、
容器形状を有する部材は、通気性を有し、
流入管は、電動送風機の回転軸が存在する側に向かう方向に形成されることを特徴とする電気掃除機。
【請求項８】
請求項７に記載の電気掃除機において、
流入管の断面は、容器形状を有する部材と連通する側に向かって拡大することを特徴とする電気掃除機。
【請求項９】
請求項７または８に記載の電気掃除機において、
流入管の端部は、容器形状を有する部材の流入管が連通する壁面よりも容器形状を有する部材の内側に突出することを特徴とする電気掃除機。
【発明の詳細な説明】
【技術分野】
【０００１】
本発明は、集塵ケース内に塵埃容器（容器形状の部材）を有する電気掃除機に関するものである。
【背景技術】
【０００２】
集塵ケース内の通気損失を低減する電気掃除機は、例えば特許第３７６２３６０号公報（特許文献１）に記載されている。特許文献１に示される電気掃除機は、掃除機本体の吸い込み口から電動送風機の吸気口に至る風路中に、この風路を流れる空気と塵とを分離する塵分離部と、この分離部で分離された塵を溜める塵溜め部とを設けている。塵分離部の下側に設けた塵溜め部の幅方向一端側部分に導入隆起部を形成し、塵分離部は風路形成体と案内部とを備え、風路形成体は、吸気口に連通する分離開口及びこの開口に取り付けられたフィルターを有し、一端が吸い込み口に連通した分離風路を画している。案内部は、分離風路の他端開口に対向する風当て壁部を有して、導入隆起部と他端開口とにわたって斜めに設けられ、風路形成体と塵溜め部とを連通している。
【０００３】
また、特許文献２に示される電気掃除機は、集塵ケース内に塵埃を収容するための集塵容器を備え、この集塵容器には空気と塵埃を分離するフィルターを有する。
【先行技術文献】
【特許文献】
【０００４】
【特許文献１】特許第３７６２３６０号公報
【特許文献２】特開２００９−３２０号公報
【発明の概要】
【発明が解決しようとする課題】
【０００５】
電動送風機に所定の吸引力を維持するために、集塵ケース内の通気損失を小さくし、集塵容器本体に溜められた塵埃が電動送風機に吸気される空気の流れを妨げない場所に分離する必要がある。電気掃除機を運転している間は集塵容器を通過する空気流により、綿ゴミなどの軽くてフワフワした繊維塵は圧縮された固まりとなり易い。しかしながら、塵埃が蓄積してくると、フィルターの目詰まりにより電気掃除機の風量が低下し、空気流による塵埃への圧縮力が小さくなる。
【０００６】
集塵ケース内の通気損失を低減するものとして、特許文献１に記載の発明のように塵分離部の下側に設けた塵溜め部に分離した塵埃と空気流を導入する構成が提案されているが、集塵ケースの吸込口から流入する空気流は曲げられるために風の運動エネルギー損失は大きくなり、吸込仕事率を向上することが困難である。
【０００７】
特許文献２に記載の発明では、流入口が水平方向に形成されており、集塵容器の下側壁面に沿っていないため、集塵容器内の流入口の出口近傍において運動エネルギーが損失し、通気損失が発生する。
【０００８】
本発明の目的は、通気損失が小さく、塵埃収容器に溜ったごみの圧縮性を高め、集塵ケースに集塵された塵埃の排出や、手入れを容易にできる電気掃除機を提供することにある。
【課題を解決するための手段】
【０００９】
上記目的を解決するために本発明の特徴とするところは、本体吸入口（例えば、ホース接続口部）と、吸入口の後部に位置し着脱自在な集塵ケースを収納する集塵ケース収納部と、集塵ケース収納部の後部に配置された電動送風機を備えた電気掃除機本体を備えた電気掃除機において、集塵ケースは、吸入口に挿入されるホースと連通するための流入口と、電動送風機の吸引口に対向して設けられた開口部を有するケース本体部と、開口部を覆い吸引された空気の塵埃を除去するフィルターを有する蓋体とを備え、集塵ケース内に塵埃収容器を設け、流入口の中心軸が該塵埃収容器の外郭形状と略平行に電動送風機の中心軸へ向いて傾斜するようにしたことにある。
【００１０】
また、本発明の特徴とするところは、ホースと連通可能な流入管（例えば、流入口）を、容器形状を有する部材（塵埃容器）の内壁面の形成方向に沿った方向に形成したことにある。
【００１１】
また、本発明の特徴とするところは、ホースと連通可能な流入管を、電動送風機の回転軸が存在する側に向かう方向に形成したことにある。
【発明の効果】
【００１２】
本発明によれば、通気損失が小さく、塵埃収容器に溜ったごみの圧縮性を高め、集塵ケースに集塵された塵埃の排出や、手入れを容易にできる電気掃除機を提供することができる。
【図面の簡単な説明】
【００１３】
【図１】本発明の実施例に係わるもので、電気掃除機の外観斜視図である。
【図２】本発明の実施例に係わるもので、掃除機本体の上蓋を開いた状態を示す斜視図である。
【図３】本発明の実施例に係わるもので、掃除機本体の上蓋を開いて、集塵ケースを取り外した状態を示す斜視図である。
【図４】本発明の実施例に係わるもので、集塵ケースの外観斜視図である。
【図５】本発明の実施例に係わるもので、集塵ケースの側面図である。
【図６】図４の矢印７０方向に見た集塵ケースの流入部の中央を含む断面図である。
【図７】本発明の一実施の形態例を示す集塵ケース５の流入口３０の中央部分の断面図である。
【図８】本発明の実施例に係わるもので、集塵ケースの前蓋を開いたところを示した正面図である。
【図９（ａ）】図８に示すＡ−Ａ断面図である。
【図９（ｂ）】図９（ａ）に示すＰ部拡大図である。
【図９（ｃ）】図９（ａ）に示すＰ部拡大図である。
【図１０】本発明の実施例に係わるもので、集塵ケースの前蓋と第２フィルターを開いたところを示した正面図である。
【図１１】図１０に示すＢ−Ｂ断面図である。
【図１２】本発明の実施例に係わるもので、集塵容器がクランプ部材（係止手段）により保持されたところを示す斜視図である。
【図１３】本発明の実施例に係わるもので、集塵ケースから取り出した集塵容器を示した外観斜視図である。
【図１４】本発明の実施例に係わるもので、集塵ケースを背面から示した外観斜視図である。
【図１５】本発明の実施例に係わるもので、集塵ケースからフィルター部を開放したところを示した斜視図である。
【発明を実施するための形態】
【００１４】
本発明の実施の形態例について、図面を引用して説明する。まず、図１から図４に沿って電気掃除機の概要から説明する。図１は、本発明の一実施の形態例を示す電気掃除機の外観斜視図である。図２は、この掃除機本体の上蓋を開いた状態を示す斜視図である。図３は、この掃除機本体の上蓋を開いて、集塵ケースを取り外した状態を示す斜視図である。図４は、本発明の一実施の形態例を示す集塵ケースの外観斜視図である。
【００１５】
本実施の形態における電気掃除機１は、図１と図２に示すように、掃除機本体２とホース１２と手元操作管１３と伸縮継手管１４と吸口１５を備え、掃除機本体２と手元操作管１３をホース１２で接続し、この手元操作管１３に伸縮継手管１４を介して吸口１５を接続して使用する。なお、ホース１２は接続部１２ａを掃除機本体２のホース接続口部１０に取り付けている。
【００１６】
掃除機本体２は、電動送風機（図示せず）とコードリール（図示せず）とを内蔵する。電動送風機を駆動した際の吸気流により、吸口１５から含塵空気を吸い込み、吸い込んだ含塵空気を伸縮継手管１４と手元操作管１３とホース１２を介して掃除機本体２に吸い込ませ、集塵ケース５で塵埃を捕集（集塵）した後に空気を機外に排気する。なお、電気掃除機１の運転モードの切り替えは手元操作管１３に設けたスイッチ１６により行える。
【００１７】
掃除機本体２は、図２から図３に示すように、下本体ケース３と上蓋８の間に配置した上本体ケース４の凹部に形成した集塵ケース収納部９に、集塵ケース５を着脱可能に装着している。なお、上蓋８は、上本体ケース４の上側後部に転回可能に取り付けている。集塵ケース５の出し入れは、図２に示すように上蓋８を開いて行われ、電気掃除機１を運転中には、上蓋８は閉じられている。
【００１８】
また、下本体ケース３と上本体ケース４の間にフィルターケース１７を設け、このフィルターケース１７に、保護フィルター１８と、この保護フィルター１８を抑えるフィルターカバー１９とを配置している。さらに、フィルターケース１７の上側には除塵ユニット７を配置している。除塵ユニット７に設けた除塵回転体２４が回転して、後述するプリーツ状に成形された第２フィルター２１を弾いて、この第２フィルター２１で捕集した塵埃を除塵する。
【００１９】
また、下本体ケース３は、この掃除機本体２を床面に走行させるための走行車輪１１と案内車輪（図示せず）を備えている。さらに、上本体ケース４の上部にはハンドル６が転回可能に取り付けられており、掃除機本体２を持ち運ぶ事ができる。
【００２０】
集塵ケース５に設けた流入口３０（流入管）とホース接続口部１０に差し込んだホース１２の接続部１２ａとが、弾性体シール部材１０ａを介して気密状態に当接している。流入口３０は、空気の流路が形成される管状の部材で形成される。ここで、集塵ケース５を掃除機本体２に装着した際に、後述する第２フィルター２１の枠体に設けた弾性体シール部材６２により、集塵ケース５とフィルターケース１７の気密が取れるようにしている。さらに、このフィルターケース１７と、電動送風機（図示せず）が弾性体の防振ゴム（図示せず）を介して気密状態に当接している。
【００２１】
次に、掃除機本体２内部の配置について説明する。ホース接続口部１０は上方から見て掃除機本体２の幅方向の中央にあり、かつ、掃除機本体２の前面に配置している。集塵ケース５の流入口３０も同様に集塵ケース５の幅方向の中央にあり、かつ、集塵ケース５の前面に配置している。集塵ケース５を集塵ケース収容部９に装着した状態では、ホース接続口部１０と流入口３０とが近接または当接するようになる。このように配置したことで、集塵ケース５の入口部分に曲り流路などを設ける必要が無いため、通気損失を小さくできる効果が得られる。
【００２２】
また、集塵ケース５には空気取り入れ口である流入口３０が、この集塵ケース５の高さ方向の中央より下部に設けられているので、流入口３０に連通するホース接続口部１０も、掃除機本体２の高さ方向の中央より下部に配置することができる。このため、ホース接続口部１０は、掃除機本体２の下部に配置することができるので、使用者が手元操作管１３を持ってホース１２を介して掃除機本体２を引き回した場合、掃除機本体２が転倒しにくく安定して引き回す事ができる。
【００２３】
次に図４から図１５を参照して集塵ケース５について説明する。図４は、本発明の一実施の形態例を示す、集塵ケース５の外観斜視図である。図５は、本発明の一実施の形態例を示す集塵ケース５の側面図である。図６は、図４の矢印７０方向に見た集塵ケース５の流入口３０の中央を含む断面図である。図７は、本発明の一実施の形態例を示す集塵ケース５の流入口３０の中央部分の断面図である。図８は、本発明の一実施の形態例を示す集塵ケース５の前蓋２６（閉塞部材）を開いたところを示した正面図である。図９（ａ）は、図８に示すＡ−Ａ断面図である。図９（ｂ），（ｃ）は図９（ａ）に示すＰ部拡大図である。図１０は、本発明の一実施の形態例を示す集塵ケース５の前蓋２６と第２フィルター２１を開いたところを示した正面図である。図１１は、図１０に示すＢ−Ｂ断面図である。図１２は、本発明の一実施の形態例を示す集塵容器２０がクランプ部材２９（係止手段）により保持されたところを示す斜視図である。図１３は、本発明の一実施の形態例を示す集塵ケース５から取り外した集塵容器２０を示した外観斜視図である。図１４は、本発明の一実施の形態例を示す集塵ケース５を背面から示した斜視図である。図１５は、本発明の一実施の形態例を示す集塵ケース５から第２フィルター２１を開放したところを示した斜視図である。
【００２４】
集塵ケース５は図６から図１２に示すように、内部に塵埃を捕集するとともにこの塵埃を収容するための集塵容器２０を備え、この集塵容器２０は集塵ケース５の開口部２５から突き出し可能に設けられている。この集塵容器２０は、一部が集塵ケース５の開口部２５から突き出した状態においては他の部分が集塵ケース５内に位置している。また、この集塵容器２０は、空気と塵埃とを分離する第１フィルター６４を備える。集塵容器２０は、第１フィルター６４により大きめの粗塵を濾過捕集する。
【００２５】
集塵ケース５は、前側に集塵容器２０が出没する開口部２５を有する。開口部２５を開閉する開閉蓋としての前蓋２６の下部には回動軸２７を設け、前蓋２６は回動軸２７により集塵ケース５の外周側で前側下部に回動自在に支持される。前蓋２６は、塵埃を含んだ含塵空気が流入する流入口３０を有し、この流入口３０を通過した含塵空気は集塵容器２０に流入する。集塵容器２０は流入口３０側（前側）が開口し、開口とは反対側の奥側（底側）と上下左右側面に第１フィルター６４を設けた容器状に形成され、空気の流れから見て上流側が開口し、下流側に第１フィルター６４を配置している。集塵容器２０の形状は、一つの面が開口したかご形状，箱形状または容器形状であってもよいし、ちりとり形状であってもよい。開口とは反対側の奥側（底側）が曲面で形成されてもよい。つまり、集塵容器２０は、開口と反対側に凹んだ形状を有する。集塵容器２０の断面形状は、略四角形状であってもよいし、略円形状であってもよいし、略三角形状であってもよい。そして、集塵容器２０の開口部は流入口３０と対向させるように配置され、流入口３０から流入した塵埃を集塵容器２０で受け入れるようにしている。そして、集塵容器２０は前蓋２６を開いたときに、塵埃が流れ込む流入口３０に向かって突き出す（飛び出す）ようにしている。すなわち、第１フィルター６４を備えた集塵容器２０は、集塵ケース５の開口部２５から突き出し可能に設けられ、第１フィルター６４の上流側で捕集した塵埃を、空気の流れ方向（塵埃を吸込む方向）とは逆向きに、空気の流れ方向上流側に向かって押し出すように排出する。このため、集塵容器２０が集塵ケース５の開口部２５から突き出す際の動作を阻害することがなく、集塵容器２０に収容した塵埃の廃棄を容易に行うことができる。流入口３０には、集塵容器２０に溜った塵埃が逆流したり、吸引した塵埃が集塵ケース５からこぼれるのを防ぐ逆止弁３１が備わる。
【００２６】
集塵ケース５の上部には、前後に延びるハンドル２８を設けている。ハンドル２８の先端側に閉じられた前蓋２６を閉じた状態に拘束する前蓋用拘束手段としてのクランプ部材２９（係止手段）を有する。また、前蓋２６の上部には係止溝４０を設け、クランプ部材２９の鉤３６と係合して前蓋２６を拘束している。この前蓋用拘束手段により、前蓋２６は閉じた状態に拘束されており、クランプ部材２９を押して鉤３６が係止溝４０から上方に移動して係止を解くことにより、前蓋２６は前側に倒れるように開放される。
【００２７】
なお、前蓋２６を閉じれば、この前蓋２６が集塵容器２０を押して集塵ケース５内の所定の位置に集塵容器２０を収納し、クランプ部材２９の鉤３６が前蓋２６の上部に設けた係止溝４０に係合して前蓋２６を拘束するとともに、この前蓋２６により集塵容器２０も係止される。つまり、クランプ部材２９を開放する一つの動作で、前蓋２６と集塵容器２０の両方を開放でき、前蓋２６を閉じる一つの動作で、前蓋２６と集塵容器２０を所定の位置に係止できる特徴を備える。なお、前蓋２６を閉じて集塵容器２０を使用者が押して集塵ケース５内へ収容する際、図８（ａ）に示す集塵ケース５の鍔部４２が、クランプ部材２９側の集塵容器２０である塵埃収容部片２０Ａの支骨６３を押すので、開いている集塵容器２０は閉じる方向に力を受ける。つまり、前蓋２６が集塵容器２０を押して集塵ケース５内に集塵容器２０を戻し入れるとともに、開いていた集塵容器２０は閉じながら所定の位置に戻し入れられる。よって、集塵容器２０を集塵ケース５に収容する動作は容易に行うことができる。
【００２８】
ここで、クランプ部材２９側である集塵容器２０の上方に、係止溝３７を設けている。このため、集塵ケース５の開口部２５から突き出している集塵容器２０を集塵ケース５側へ押すと、図１１に示すようにクランプ部材２９の鉤３６がこの係止溝３７と係合して、集塵容器２０を保持することが可能である。なおこの状態は、集塵容器２０が集塵ケース５の開口部２５から突き出している状態と、塵埃を吸引する際に集塵ケース５内の所定の位置に係止された場合の間の位置で集塵容器２０が保持された状態である。この状態では、集塵容器２０内の清掃を行い易くしたり、後述する塵紙等の使い捨ての集塵濾紙を用いる際に、この塵紙等の使い捨ての集塵濾紙を配置し易くする特徴を備える。なお、この場合でもクランプ部材２９を開放する一つの動作で、前蓋２６と集塵容器２０の両方を開放できる。また、この状態から前蓋２６を閉じると、前蓋２６に押されて集塵容器２０を集塵ケース５内の所定の位置に収納することも可能である。
【００２９】
集塵容器２０は、上下に分割される少なくとも二つの塵埃収容部片２０Ａ，２０Ｂを有する。集塵容器２０は左右に分割することも可能であるが、ここでは上下に分割された二つの塵埃収容部片２０Ａ，２０Ｂに沿って説明する。
【００３０】
図６から図１３に示すように上側の塵埃収容部片２０Ａと、下側の塵埃収容部片２０Ｂとが上下に合わさり集塵容器２０が形成され、塵埃廃棄口６５は集塵容器２０の前側に設けられる。集塵容器２０の奥側／後側には回動軸６６が設けられ、二つの塵埃収容部片２０Ａ，２０Ｂは、この回動軸６６で回動自在に連結支持される。回動軸６６で回動自在に連結支持された二つの塵埃収容部片２０Ａ，２０Ｂは、塵埃廃棄口６５を拡げたり、狭めたりすることができる。なお、塵埃廃棄口６５を広げるために回動軸６６はバネ（図示せず）を用いて付勢してもかまわない。このバネは、つるまきバネや板バネが用いられる。また、鋼線をロの字型に曲げ、集塵容器２０を構成する塵埃収容部片２０Ａと塵埃収容部片２０Ｂに引っ掛けて、開放するように付勢してもよい。
【００３１】
ここで図６に示すように、集塵容器２０は二つの塵埃収容部片２０Ａ，２０Ｂが合わさる状態では、塵埃廃棄口６５から奥側（空気の流れ的に見て上流側から下流側）に向かって狭くなる形状であり、二つの塵埃収容部片２０Ａ，２０Ｂが合わさる状態では、集塵容器２０の側面形状は略Ｄ字形状をしている。集塵容器２０は、流れに対する断面積が上流側である流入口３０側に配置している塵埃廃棄口６５から、下流側へ小さくなっている。言い換えれば、集塵容器２０は塵埃廃棄口６５に向かって拡がっている。また、集塵ケース５と集塵容器２０外部との間で構成される流路３８の流路は、上流側である前蓋２６側から、下流側である第２フィルター２１側へと拡大していく形状となっている。
【００３２】
集塵容器２０から流出した空気流は、流路３８の最下流側である第２フィルター２１の上流側では、集塵ケース５に流入した空気流が全て流れるため、流路３８の最上流側よりも空気の風量が多い。つまり、第１フィルター６４を通過した空気流がこの流路３８の上流側から下流側に向かって次第に集まっていくので、流路３８を流れる空気流の風量は上流側から下流側へ次第に増える構成となっている。このため、流路３８が拡大流路となることで、この流路３８内で大きな速度増加を防ぐことができ、通気損失を低減することができる。
【００３３】
また、ホース接続口１０と連通する集塵ケース５の吸込口である流入口３０の延長上に集塵容器２０は配置されており、この集塵容器２０は、円弧状に形成し二つの塵埃収容部片２０Ａ，２０Ｂが合わさる状態では、図６に示すように集塵容器２０の横断面は、円弧とこの円弧と略接する直線部で構成されており、側面形状は略Ｄ字形状をしている。また、集塵ケース５の流入口３０は、集塵容器２０内方に延出される円筒状に形成される。つまり、流入口３０の出口端は、集塵容器２０の開口よりも集塵容器２０の内側に突出して位置する。また、空気の流れが流入口３０の出口端で乱れるのを抑制するために、流入口３０の出口端は、集塵容器２０の内壁面に近接または当接するのが好ましい。そして、集塵ケース５の流入口３０の中心軸１００は、集塵ケース５の高さ方向の中央、すなわち、集塵容器２０の高さ方向の中央より下部に設けられており、下側の塵埃収容部片２０Ｂを構成する直線部２００と略平行に沿って形成される。その結果、集塵ケース５の流入口３０の中心軸１００は、集塵ケース５を集塵ケース収納部９に収納した状態では、電動送風機の中心軸（回転軸）が存在する側へ向かって、上向きに傾斜している。略平行よりもさらに上向きに傾斜していてもよい。さらに、集塵ケース５の流入口３０の中心軸１００は、集塵ケース５の出口開口近傍（第２フィルター２１の出口近傍）において、電動送風機の回転軸の軸方向が掃除機本体の前後方向である横置きの電動送風機の回転軸の軸心または横置きの電動送風機の吸引口の中心を通り掃除機本体の前後方向に沿った直線と交差してもよい。ここで、交差するとは、掃除機本体を横から見たときに交差していればよく、つまり掃除機本体の前後方向および上下方向で交差していればよく、掃除機本体の幅方向では交差せずにずれていてもよい。なお、集塵ケース５の流入口３０の中心軸１００を流入口３０に設けた逆止弁３１を用いて形成も可能である。
【００３４】
流入口３０の流路断面形状は、略円形状であってもよいし、略半円形状であってもよいし、略楕円形状であってもよいし、略四角形状であってもよい。流入口３０の中心軸１００は、流路断面の中心を結んだ直線または曲線となる。流入口３０は、直線的に延びていてもよいし、湾曲または屈曲して延びていてもよい。流入口３０の流路断面形状が軸方向で略同一であれば、流入口３０の内壁面の流路方向と流入口３０の中心軸１００の方向とは略平行である。流入口３０の流路断面形状が軸方向で拡大したり縮小したりする場合は、流入口３０の内壁面の軸方向の方向と流入口３０の中心軸１００の方向とは平行ではなく、拡大の場合は流入口３０の内壁面の流路方向が流入口３０の中心軸１００の方向よりも拡がる方向であり、縮小の場合は流入口３０の内壁面の流路方向が流入口３０の中心軸１００の方向よりも狭くなる方向である。直線部２００とは、集塵容器２０の上下左右の内壁面が、集塵容器２０の開口部から奥側壁面に向かって直線部を形成する場合に、その直線部をいう。あるいは、直線部２００とは、集塵容器２０の上下左右の内壁面が、流入口３０の出口端に対応する位置から奥側壁面に向かって直線部を形成する場合に、その直線部をいう。集塵ケース５の流入口３０の中心軸１００を、直線部２００と略平行に沿って形成する代わりに、集塵ケース５の流入口３０の内壁面の方向を直線部２００と略平行に沿って形成してもよい。特に、集塵ケース５の流入口３０を集塵容器２０の下寄りに連通する場合は、集塵ケース５の流入口３０の下側壁面の流路方向を、集塵容器２０の下側壁面の直線部２００と略平行に沿って形成するのが好ましい。集塵ケース５の流入口３０を集塵容器２０の上寄りに連通する場合は、集塵ケース５の流入口３０の上側壁面の流路方向を、集塵容器２０の上側壁面の直線部２００と略平行に沿って形成するのが好ましい。集塵ケース５の流入口３０を集塵容器２０の左右の何れか寄りに連通する場合は、集塵ケース５の流入口３０の左右の何れかの壁面の流路方向を、集塵容器２０の左右の何れかの壁面の直線部２００と略平行に沿って形成するのが好ましい。集塵容器２０の上下左右の内壁面が集塵容器２０の開口部から奥側壁面に向かって直線部を形成しない場合は、集塵ケース５の流入口３０の中心軸１００または集塵ケース５の流入口３０の内壁の方向を、流入口３０の出口端に対応する位置における集塵容器２０の壁面の接線方向に沿って形成するのが好ましい。流入口３０が湾曲または屈曲している場合は、流入口３０の出口近傍の中心軸１００や流入口３０の出口近傍の壁面の流路方向を基準とするのが好ましい。流入口３０が出口端でも湾曲または屈曲している場合は、流入口３０の出口端の中心軸１００の接線方向や流入口３０の出口端の壁面の接線方向を基準とするのが好ましい。
【００３５】
集塵ケース５の流入口３０から集塵容器２０に流入し、集塵容器２０で捕集されて収容される含塵空気は、塵埃の重さによる慣性によって、流れが直接当たり易い第１フィルター６４の最下流付近のみではなく、流入口３０から流入口３０の延長上にある集塵容器２０の円弧に沿って、集塵容器２０の前側である前蓋２６側にも塵埃を搬送し堆積させていく。
【００３６】
ここで、集塵容器２０に流入した空気流は該集塵容器２０内で第１フィルター６４の最下流側から第２フィルター２１上流側へ流れる第１の気流７３と、集塵容器２０の前側である前蓋２６側に流れる第２の気流７４を生じている。この第１の気流７３は、集塵ケース５の流入口３０から、集塵容器２０の内に流れる空気流が下側の塵埃収容部片２０Ｂを構成する直線部と略平行に沿って、電動送風機に向かって直線的に流れるため、風の運動エネルギー損失を防止でき、通気損失を低減するとともに、第２の気流７４で下側の塵埃収容部片２０Ｂを構成する円弧に沿って集塵容器２０の前蓋２６側に搬送する含塵空気の流速を増すことができる。この結果、第１の気流７３によって速度を増した第２の気流７４が、塵埃容器２０の前側である前蓋２６側に堆積する塵埃の圧縮性を高めることができ、塵埃を多量に蓄積し、掃除機本体２の風量が低下した場合でも吸引力を維持できる。
【００３７】
なお、第２の気流７４によって集塵容器２０の内、前蓋２６に近い第１フィルター６４を通過する空気流も生じ、第１フィルター６４全体を覆うように塵埃が堆積していく。つまり、集塵容器２０に塵埃が溜っていく際にも、第１フィルター６４を通過した空気流がこの流路３８の上流側から下流側に向かって次第に集まっていくので、流路３８を流れる空気流の風量は上流側から下流側へ次第に増える構成となっている。このため、流路３８が拡大流路となることで、この流路３８内で大きな速度増加を防ぐことができ、通気損失を低減することができる。
【００３８】
また、図７に示すように、集塵ケース５の流入口３０の流路内径をホース１２の接続部側である上流側から、集塵容器部内方に延出される下流側方向へ向かって拡がっていく形状にすると、流入口３０から集塵容器２０に空気流が流入する際の、急拡大による通気損失を低減でき、より好ましい。
【００３９】
さらに、流路３８の最下流で第２フィルター２１へ流入する空気流の流速を減速し、局所的に速い部分の出現を防げるので、この第２フィルター２１を通過する際の通気損失の上昇を抑えることができ、吸込仕事率を向上することができる。また、この第２フィルター２１へ流入する空気流の分布に、局所的に速い部分の出現を防げるので、第２フィルター２１で捕集されずに吹き抜ける塵埃量を少なくすることが可能となる。この結果、集塵ケース５の塵埃の捕集効率を向上することができ、掃除機本体２からの排気を清浄化できるとともに、電動送風機へ微細な塵埃が流入することも抑制でき、電動送風機の電動機部の故障を抑制することができる。
【００４０】
なお、集塵ケース５が上流側である前蓋２６側から、下流側である第２フィルター２１側へと拡大するように構成されているので、第２フィルター２１のフィルター面積を大きくすることもできる。この結果、第２フィルター２１を通過する空気流の流速を減速できるので、通気損失を低減することができるとともに、この第２フィルター２１での塵埃の捕集効率を向上することができる。
【００４１】
また、集塵容器２０の内、通気部である第１フィルター６４だけでなく、不通気部である前蓋２６側にも塵埃を搬送することができるので、第１フィルター６４の塵埃による目詰まりを抑制するとともに、集塵容器２０内に収容する塵埃量を向上することも可能となる。
【００４２】
また、集塵容器２０の集塵ケース５と集塵容器２０外部との間で構成される流路３８の上流は前蓋２６付近まであるので、集塵容器２０内に塵埃を吸い込んでも通気損失の上昇を低くすることができ、電気掃除機１の吸引力の低下を抑制することができるという特徴も備える。なお、集塵容器２０の断面形状を円弧の変わりに楕円の一部や、滑らかに変化する曲線を用いて構成してもかまわないし、おわん型としてもかまわない。
【００４３】
集塵ケース５の後側には、波形にプリーツ加工されたフィルターを有する第２フィルター２１が備えられ、この第２フィルター２１は図１４や図１５に示すように、回動軸２３により集塵ケース５に対して開閉自在に設けられる。第２フィルター２１の下部は集塵ケース５の下部に回動軸２３により回動自在に支持され、上部は集塵ケース５の上部に設けたフック２２に係止されている。フック２２を操作する操作ボタン３２を押すことにより、このフック２２の係止が外されると、第２フィルター２１は下部の回動軸２３を回動中心として開かれる。第２フィルター２１は、例えば、高密度のＨＥＰＡフィルター（High Efficiency Particulate Air Filter）である。ＨＥＰＡフィルターとは、定格風量で粒径が０.３μｍの粒子に対して９９.９７％以上の粒子捕集率をもち、かつ初期圧力損失が２４５Ｐａ以下の性能を持つエアフィルターである。
【００４４】
集塵容器２０は、第１フィルター６４により大きめの粗塵を濾過捕集する。細かな微細塵は、集塵容器２０を通過して第２フィルター２１で濾過捕集される。除塵ユニット７は、図３に示すように除塵回転体２４を有する。この除塵回転体２４は、コードリール（図示せず）に巻装された電源コード（図示せず）の巻き解きに伴って回転作動し、第２フィルター２１に設けた補強部３３をガイド３４に沿って弾いて振動させて、第２フィルター２１で捕集された微細な塵埃を第２フィルター２１から除塵する。この第２フィルター２１から除塵された微細な塵埃は下方に落下し、一部は図６に示す第２フィルター２１の下方に設けたスロープ６８を滑り、第２フィルター２１の前方に設けた集塵ケース５の下部に備えた後述する微細塵収容部５１に溜められる。なお、この微細塵収容部５１は電気掃除機１の運転により集塵ケース５内を空気流が通過する際に、除塵された微細な塵埃が再飛散して、第２フィルター２１に再付着するのを防ぐように構成されているのが望ましい。ここでは、前蓋２６を閉じた際には、微細塵収容部５１の上流側である第２廃棄口６７が前蓋２６に設けた弾性体シール部材５２に覆われるように構成しておけばよい。
【００４５】
集塵容器２０は、外郭形状を保つ支骨６３と、この支骨６３の内壁面に張られた第１フィルター６４とを有する。支骨６３間は開口している。よって、集塵容器２０の上下左右の壁面および奥側壁面も部分的に開口し、集塵容器２０の前側開口が前蓋２６で閉塞された場合にも、上下左右の壁面および奥側壁面が通気可能である。支骨６３は、ＡＢＳ樹脂などの樹脂やステンレスなどの金属で構成するのが好ましい。よって、支骨６３はこのような硬質材料で形成されるため、その形状を維持でき、紙パックのように膨らんだり、大きく変形することはない。この第１フィルター６４は、メッシュ状の網フィルターとか、金網とか、微小な穴を有する金属板とか、微小な穴を有するプラスチックの板などで構成されているので、第１フィルター６４は粗塵を濾過捕集する。なお、塵離れを良くするために第１フィルター６４をステンレス等の通電性の高い金属を用いたり、ポリエステルやナイロンなどの化学繊維にステンレス等の金属粒子をスパッタリング処理したものを用いたりすると良い。なお、第１フィルター６４のうち、流入口３０の延長上にある下側の塵埃収容部片２０Ｂの円弧部に設けた箇所は、吸込んだ塵埃が直接当り易いので尖ったもので穴があかないように、この部分の第１フィルター６４にステンレス等の金属で構成された網を用いるとなお良い。使用者は、第１フィルター６４の内壁面に沿って、ティッシュペーパを装着することも可能である。ティッシュペーパの隅を、集塵容器２０の開口部の外縁の支骨６３と前蓋１６とで挟み込めば、ティッシュペーパを保持可能である。
【００４６】
ここで、集塵容器２０に流入した空気流は該集塵容器２０内で渦流を生じているが、集塵容器２０を通過した流れは、第１フィルター６４により整流されて集塵容器２０を流出する。つまり、第２フィルター２１へ流入する空気流の分布に局所的に速い部分の出現を防げるので、この第２フィルター２１を通過する際の通気損失の上昇を抑えることができるとともに、第２フィルター２１で捕集されずに吹き抜ける塵埃量を少なくできるので捕集効率を向上できる。
【００４７】
なお、集塵容器２０で捕集された綿ゴミなどの軽くてフワフワした繊維塵は、集塵容器２０を通過する空気流により、圧縮された固まりとなり易い。電気掃除機１を運転中にはこの集塵容器２０内で圧縮されて固まりとなった繊維塵により、集塵容器２０は電動送風機（図示せず）側である第２フィルター２１側へ押される。集塵容器２０に設けた支骨６３は第１フィルター６４を貼るためだけではなく、集塵容器２０の強度を増すので、集塵容器２０の変形を抑制することができ、集塵容器２０を構成する塵埃収容部片２０Ａと２０Ｂの間から塵埃がこぼれるのを防ぐ効果もある。
【００４８】
加えて、集塵容器２０で捕集された綿ゴミなどの繊維塵は、集塵容器２０内で圧縮された固まりとなり易いので、この固まりとなった繊維塵により集塵容器２０に流入した微細な塵埃の一部も捕集される。これらの、圧縮された塵埃の固まりは、電気掃除機の運転を停止すると空気流による圧縮力が無くなり、圧縮された塵埃の固まりが広がり、塵埃の固まりの体積が大きくなる。
【００４９】
しかし、集塵容器２０は、塵埃廃棄口６５に向かって拡がっており、しかも溜った塵埃を捨てる際に二つの塵埃収容部片２０Ａ，２０Ｂが塵埃廃棄口６５を拡げるように開放するので、集塵容器２０に収容した圧縮された塵埃の固まりが広がった場合でも塵埃廃棄口６５から容易に排出することができる。塵埃を廃棄する際、集塵容器２０に吸引された塵埃は空気流により、圧縮された固まりとなり易いので、集塵容器２０から塵埃廃棄口６５を通じて排出する際も固まり状となって排出され、集塵容器２０に設けた第１フィルター６４には、塵埃の付着や絡み付きが少なく、目詰まりが生じにくい。このため、集塵容器２０に溜った塵埃を捨てるだけで、第１フィルター６４の除塵の手間を防ぐことができる。なお、集塵容器２０を円弧上に形成しているので、塵埃の付着や絡み付きを抑制することが可能である。
【００５０】
また、集塵容器２０内で圧縮されて固まりとなった繊維塵により、集塵容器２０に流入した粉塵などの微細な塵埃の一部も捕集され、繊維塵が微細な粉塵を包んでいるので、集塵容器２０に溜った塵埃を捨てる際に、細塵の舞い上がりが生じず衛生的である。なお、集塵容器２０に流入した粉塵などの微細な塵埃の一部も捕集され、繊維塵が微細な粉塵を包んでいるので、微細な塵埃により集塵容器２０に設けた第１フィルター６４が目詰まりするのを抑制する。この結果、電気掃除機を運転した際の風量の低下を抑えることができ、吸引力の低下を抑えることができるので、被掃除面の塵埃を吸引する能力の低下を抑えることができる。
【００５１】
なお、集塵容器２０の上流側に設けた開口である塵埃廃棄口６５は集塵ケース５の流入口３０よりも大きくしているので、この流入口３０から集塵容器２０に流入した塵埃は、集塵容器２０から廃棄する際に、塵埃廃棄口６５で詰まるのを防げる。また、塵埃廃棄口６５を大きくすると、集塵容器２０の奥行き方向を短くしても、集塵容器２０の容積を大きくすることができるので、掃除機本体２の奥行き（長さ）を小さくでき小型化できる。
【００５２】
図１３に示すように、下側の塵埃収容部片２０Ｂは、回動軸４１によりベース部品６９に回動自在に支持される。なお、集塵容器２０とベース部品６９とを集塵ケース５内に取り付けた際には、この回動軸４１は集塵ケース５内で開口部２５が形成されている鍔部４２の内側に位置する。この回動軸４１と前蓋２６の回動軸２７は、集塵ケース５の前側に位置し、かつ隣り合う近傍に設けられる。このため、前蓋２６と、塵埃収容部片２０Ｂの開閉作動は、一緒に揃って円滑に行われる。なお、前蓋２６を開閉自在に支持する前蓋２６用支持箇所である回動軸２７を集塵ケース５の外周部に配し、集塵容器２０を開閉自在に支持するために塵埃収容部片２０Ｂに設けた回動軸４１を集塵ケース５の内部に設けている。このように配置しているので、前蓋２６と集塵ケース５の気密は、前蓋２６に取り付けた弾性体シール部材５２を設ければよい。
【００５３】
この弾性体シール部材５２が、前蓋２６を回動支持する回動軸２７をまたぐ必要がないので、集塵ケース５と前蓋２６の気密を取る際は、弾性体シール５２と当接部５３が略同一平面上に構成されるので、気密をとり易い。さらに、弾性体シール部材５２は、集塵容器２０を回動支持する回動軸４１もまたがないように構成できるので、弾性体シール部材５２は前蓋２６と集塵容器２０間をシールする際には、弾性体シール５２と塵埃収容部片２０Ａに設けたＡ当接部５４および、弾性体シール５２と埃収容器部片２０Ｂに設けたＢ当接部５５が略同一の平面上に構成されるので、気密をとり易い。さらに、ひとつの弾性体シール５２で、前蓋２６と集塵ケース５の気密を確保でき、前蓋２６と集塵容器２０を構成する塵埃収容部片２０Ａの気密を確保でき、前蓋２６と集塵容器２０を構成する塵埃収容部片２０Ｂの気密を確保できる。また、前蓋２６に設けた弾性体シール５２との当接箇所を略同一の平面上に構成できるので、前蓋２６を集塵ケース５側へ付勢する方向のみの力を前蓋２６と集塵ケース５間に与えればよく、空気の漏れを起こし難い構造にすることができるので、吸込仕事率の低下やゴミのこぼれを防ぐことができる。また、前蓋２６を閉じた状態では、微細塵収容部５１の前側である第２廃棄口６７が前蓋２６に設けた弾性体シール部材５２に覆われるように構成しているので、流入口３０から流入した塵埃が集塵容器２０を通過せずに第２フィルター２１に短絡して流れるのも防ぐことができる。また、これらの前蓋２６に設けた弾性体シール５２との当接箇所を略同一の平面上で共通にすることにより、開閉作動に際し、前蓋２６と集塵容器２０との間に位置ずれがなく、前蓋２６と集塵容器２０の開閉動作を更に円滑に行える。
【００５４】
また、上側の塵埃収容部片２０Ａは、開口部２５の内側面に摺動自在に支持されており、この摺動自在なる支持により、塵埃収容部片２０Ａは滑りながら集塵ケース５を出入するように作動する。このように構成しているので、前蓋２６が閉じた状態に拘束されているクランプ部材２９の係止を解くことにより、前蓋２６は前側に倒れ、二つの塵埃収容部片２０Ａ，塵埃収容部片２０Ｂが塵埃廃棄口６５を拡げるように開放される。つまり、突き出し付勢バネ４３は塵埃収容部片２０Ｂを集塵ケース５の外側に押し出すように付勢するとともに、塵埃廃棄口６５を拡げるように二つの塵埃収容部片２０Ａ，塵埃収容部片２０Ｂを開放させる解放付勢バネの役割を兼ねることも可能である。なお、突き出し付勢バネに代えてモータや人の操作力により、集塵容器部を外方に向けて押すような突き出し手段を設けることも可能である。
【００５５】
ここで、突き出し付勢バネ４３は、図１３に示すように、下側の塵埃収容部片２０Ｂの前側下部に設けられる。この突き出し付勢バネ４３は、集塵容器２０とベース部品６９とを集塵ケース５内に取り付けた際には、下側の塵埃収容部片２０Ｂを集塵ケース５の外側に押し出すように付勢している。この突き出し付勢バネ４３はつるまきバネで形成され、中央部を下側の塵埃収容部片２０Ｂに設けたバネ係止部で受け、両端はベース部品６９に係合されている。この突き出し付勢バネ４３により、下側の塵埃収容部片２０Ｂは集塵ケース５から突き出す方向の回転力が付与されている。なお、突き出し付勢バネ４３の周囲は隔壁７１を用いて塵埃収容部と隔離し、塵埃が付着しにくいようにするとよい。この場合第２廃棄口６７が２個になるが、かまわない。このとき微細塵収容部５１は、前蓋２６側が反対側の第２フィルター２１側の開口部に比べて開口面積が狭いので、微細塵収容部５１内の塵埃の重さで塵埃を押し出すように排出するので、微細塵収容部５１内の微細塵が廃棄しやすく好ましい。
【００５６】
なお、微細塵収容部５１に溜められた微細な塵埃は、図８や図９（ａ）に示すように集塵ケース５から集塵ケース５の前側に設けた前蓋２６を開き、微細塵収容部５１の開口部である第２廃棄口６７を開放して廃棄すると良い。この際、集塵容器２０に収容した塵埃の廃棄も一緒に行えるので、塵埃の廃棄を容易にすることができる。ここで、前蓋２６を透明な樹脂材などで作成すると、使用者は掃除機本体２の上蓋８を開いて、この前蓋２６越しに集塵ケース５内の集塵容器２０内に溜った塵埃の量を目視で確認できるので、ゴミ捨ての時期を判断しやすく、より好ましい。また、前蓋２６の回動軸２７が集塵ケース５の下側についているので、使用者は微細塵が微細塵収容部５１から第２廃棄口６７を通じて廃棄のする様子を確認しながら、塵埃を廃棄することが可能である。
【００５７】
ここで、微細塵が通過する通路を兼ねる微細塵収容部５１が長い場合、第２フィルター２４に付着した塵埃を除塵して収容した微細塵収容部５１を通じて、集塵ケース５の前側に設けた前蓋２６を開放して開口である第２廃棄口６７から微細塵を捨てる際に、微細塵が微細塵収容部５１の壁面に付着して残る場合には、図１０や図１１に示すように、第２フィルター２４を開放して集塵ケース５の下流側からも、残った微細塵を集塵ケース５から廃棄できる。第２フィルター２１の下部は集塵ケース５の下部に回動軸２３により回動自在に支持され、上部は集塵ケース５の上部に設けたフック２２に係止されており、フック２２を操作する操作ボタン３２を押すことにより、このフック２２の係止が外されると、第２フィルター２１は下部の回動軸２３を回動中心として開かれる。つまり、集塵ケース５から第２フィルター２１を取り外すことなく、第２フィルター側の開口から微細塵を集塵ケース５から廃棄できるので、微細塵の舞い上がりを防げ、衛生的に塵埃を廃棄可能である。
【００５８】
また、この状態で集塵ケース５や微細塵収容部５１を水洗いにて手入れすることも可能である。この際、これらの集塵ケース５や微細塵収容部５１は前後方向に２つの開口を備えており、さらにこれらの開口の投影面が重なり合うように配置しているので、水洗い時に水が溜らず流れ出て、ゴミが堆積しにくいとともに残りにくいため、容易に洗浄でき、水切れがよく乾燥時間を短くすることができる。
【００５９】
また、集塵容器２０と突き出し付勢バネ４３とベース部品６９は、該ベース部品６９に設けた凸部７２を前蓋２６側へ押すことによって、軸支された状態で一体的に集塵ケース５から取り外すことができるので、簡単に清掃することができる。また、集塵容器２０を水洗いしたい場合も、集塵ケース５から取り外した状態で簡単に水洗いが可能で、乾燥する時間も比較的短時間で済む。
【００６０】
脱落防止手段の脱落防止部材４５は、上側の塵埃収容部片２０Ａの外側に取り付けてあり、内側には開口部４６があり、掃除機の吸込力を低下させることがなく、細かい塵埃が脱落防止部材４５に付着する頻度を減らすことができる。
【００６１】
脱落防止部材４５は、集塵容器２０を集塵ケース５に取り付けたときに、上側の塵埃収容部片２０Ａと下側の塵埃収容部片２０Ｂが開いたときに、鍔部４２に当接するように構成されている。脱落防止部材４５が鍔部４２に当接することにより、上側の塵埃収容部片２０Ａは止められる。上側の塵埃収容部片２０Ａはそれ以上外側に突き出さないので、集塵容器２０を構成する塵埃収容部片２０Ａおよび塵埃収容部片２０Ｂが拡がり、塵埃廃棄口６５が拡がっているときは、集塵容器２０は集塵ケース５から脱落しない。
【００６２】
また、集塵容器２０と突き出し付勢バネ４３とベース部品６９を、軸支された状態で一体的に集塵ケース５から取り外した場合、この状態から集塵容器２０を集塵ケース５の方向へ挿入していくと、図９（ｂ）に示すように脱落防止部材４５は、弾性変形して集塵ケースの鍔部４２を乗り越える構造になっている。集塵ケース５の鍔部４２を乗り越えた脱落防止部材４５は、変形が無くなり、図９（ｃ）のように、元の形状に戻るので、逆に回転させても塵埃収容器部片２０Ａが集塵ケース５から外れることはない。
【００６３】
この脱落防止部材４５は、材質がポリアセタール樹脂やＡＢＳ樹脂からなる射出成形品を用いて弾性変形力としているが、そのほか、金属部品や板バネなど様々な手段を用いても同様の効果が得られる。
【００６４】
すなわち、集塵容器２０は、集塵ケース５に取り付けられたベース部品６９に下側の塵埃収容部片２０Ｂが回動軸４１で回動自在に支持され、上側の塵埃収容部片２０Ａが開口部２５に摺動自在に支持されるので、集塵容器２０は集塵ケース５から脱落しないように構成されている。この集塵容器２０には、突き出し付勢バネ４３により常に集塵ケース５の外側に押し出す力が作用している。前蓋２６は、その押し出す力に抗して集塵容器２０が突き出すのを止めている。さて、前蓋２６用の拘束手段のクランプ部材２９を外すと、図９（ａ）に示すように前蓋２６が手前に倒れるように開かれる。前蓋２６で抑えられていた集塵容器２０は、図９（ａ）に示すように、集塵ケース５の開口部２５から外に突き出す。
【００６５】
この突き出しに伴い、上側の塵埃収容部片２０Ａと下側の塵埃収容部片２０Ｂが開き、塵埃廃棄口６５が拡大する。集塵容器２０に溜った塵埃は、拡がった塵埃廃棄口６５から一気に放出される。また集塵容器２０は、突き出し付勢バネ４３により勢いよく集塵ケース５外へ突き出して来たところを脱落防止部材４５で急激に止められるので、この衝撃により第１フィルター６４に付着した塵埃が剥離しやすく、集塵容器２０から塵埃の放出は更に良く行われるとともに、第１フィルター６４の目詰まりを防ぐことができるので、吸引力の低下を防ぐことができる。
【００６６】
集塵ケース５は、前側および後側が開口するケース本体からなる。ゴミ捨てを終えた集塵容器２０は、図４や図５に示すように、集塵ケース５内に収められる。拡大していた塵埃廃棄口６５が狭まるようにして、集塵ケース５に収め戻されるとともに、第２廃棄口６７も開口を閉じられる。集塵容器２０の収納は、前蓋２６を閉じる動作に伴い行われる。前蓋２６の開閉軸である回動軸２７と、集塵容器２０の回転軸である回動軸４１が、集塵ケース５に対して同一方向である集塵ケース５の下部に配置しているので、前蓋２６と集塵容器２０を開閉する際の回転方向を同じにでき、前蓋２６を閉じると集塵容器２０を閉じることが可能である。すなわち、開口部２５と揃って前向きに置かれる塵埃廃棄口６５と、第２廃棄口６７は、前蓋２６と向き合っている。前蓋２６を閉じて行くと、前蓋２６の内面側が集塵容器２０の前面側である塵埃廃棄口６５に当接する。前蓋２６に押されて集塵容器２０は、集塵ケース５内に戻されて行く。
【００６７】
この集塵容器２０の押し戻しは、突き出し付勢バネ４３に抗して行われる。上側の塵埃収容部片２０Ａの外面側は、開口部２５の内側に押されて摺合っている。このため、上側の塵埃収容部片２０Ａは集塵ケース５内に入って行くにしたがい、下側の塵埃収容部片２０Ｂに近づいて塵埃廃棄口６５が狭まり、集塵容器２０は集塵ケース５内に収められる。このように、集塵容器２０の出し入れは前蓋２６の開け、閉めにより行われるので容易である。また、集塵容器２０に触れずに、集塵容器２０の出し入れをすることができるので、衛生面でも好都合である。
【００６８】
ここで、集塵ケース５を掃除機本体２に取り付ける前に、前蓋２６を開けた状態で集塵容器２０の凹部に塵紙等の使い捨ての集塵濾紙を入れた後、前蓋２６を閉じれば、集塵容器２０は前蓋２６に押されて集塵ケース５内の所定の位置に配置される。なお、塵紙等の使い捨て集塵濾紙の取り付けは図１２に示すように、クランプ部材２９の鉤３６が係止溝３７と係合して集塵容器２０を保持した状態で、塵紙等の使い捨ての集塵濾紙の一辺をクランプ部材２９の鉤３６に引っ掛け、対向する一辺を塵埃収容部片２０Ｂの回動軸２７側付近で押さえて、塵紙等の使い捨て集塵濾紙の中央付近を集塵容器２０の凹部側へ押し入れて取り付けるとよい。また、集塵容器２０の断面形状を略Ｄ字状に形成しているので、塵紙等の使い捨て集塵濾紙を集塵容器２０の凹部側へ押し入れての取り付けが容易にできる。この際、第２廃棄口６７も塵紙等の使い捨て集塵濾紙で被うようにしている。
【００６９】
このようにした後、集塵ケース５を掃除機本体２に取り付け、電気掃除機１を運転して清掃を行えば、集塵容器２０内に吸引された塵埃は、第１フィルター６４の上流に配置した塵紙等の使い捨て集塵濾紙及び、その上流側に吸引された塵埃の大部分が堆積する。この状態で、集塵ケース５を掃除機本体２から取り出して塵埃を廃棄する際について述べる。集塵容器２０に吸引された塵埃は、空気流により圧縮された固まりとなり易いので、集塵容器２０の上流で、しかも塵埃収容器２０の凹部に配した塵紙等の使い捨て集塵濾紙に包まれた状態にある。このため、塵埃廃棄口６５を通じて塵埃を排出する際もほとんどの塵埃は、塵紙等の使い捨て集塵濾紙に包まれた固まり状の状態となって排出されるので、細塵の舞い上がりが生じず衛生的である。ここで、集塵容器２０の断面形状を略Ｄ字状に構成しているので、塵紙等の使い捨て集塵濾紙を廃棄する際に、この塵紙等の使い捨て集塵濾紙が丸まって排出されやすい。よって、細塵の舞い上がりを抑制できるので、より好ましい。また、除塵ユニット７や、第２フィルター２１に設けた補強部３３を弾いて第２フィルター２１から除塵された微細塵は、微細塵収容部５１に溜められる。この微細塵を廃棄する際には前蓋２６側を下、第２フィルター２１側を上にして集塵ケース５のハンドル２８を持つ。この際、微細塵収容部５１内の微細塵は第２廃棄口６７付近の塵紙等の使い捨て集塵濾紙に付着して一緒に廃棄されるので、微細塵の舞い上がりを抑制して廃棄することができる。また、弾性体シール部材５２への塵埃の付着を抑制でき、シール性能の低下を抑制することも可能となる。
【００７０】
ここで、前蓋２６の回動軸２７は開口部２５の周囲に設けた当接部５３よりも集塵ケース５の奥行き方向である第２フィルター２１側に配置している。このため、回動軸２７が塵紙等の使い捨て集塵濾紙を挟んで保持しやすい。また、このように前蓋２６の回動軸２７を配置しているので、回動軸２７を開口部２５の真下方向に開口部２５から離した場合に比べ、集塵ケース５自体の外径寸法が小さくでき、掃除機本体２を小形にすることができる。
【００７１】
さらに、ゴミ捨て前に集塵ケース５を掃除機本体２に取り付けた状態で電気掃除機１を運転し、掃除機本体２に接続したホース（図示せず）等の先から塵紙等の使い捨て集塵濾紙を吸込んで、集塵容器２０に吸引堆積した塵埃の上流側・下流側とも塵紙等の使い捨て集塵濾紙で包んだ後に塵埃を廃棄することも可能である。このように、集塵容器２０の第１フィルター６４の上流側に塵紙等の使い捨て集塵濾紙を配しておけば、第１フィルター６４に塵埃が付着しにくいとともに、第１フィルター６４の目詰まりを防ぐことができるので、吸引力の低下を防ぐことができる。
【００７２】
このように、掃除機本体に設けた集塵ケース内の空気の流れをスムーズにし、通気損失が小さく、塵埃収容器に溜ったごみの圧縮性を高め、集塵ケースに集塵された塵埃の排出や、手入れを容易にできる電気掃除機を提供することができる。
【符号の説明】
【００７３】
５  集塵ケース
２０  集塵容器
２０Ａ，２０Ｂ  塵埃収容部片
２１  第２フィルター
２５  開口部
２６  前蓋
２９  クランプ部材
３０  流入口
３６  鉤
３７，４０  係止溝
３８  流路
４３  突き出し付勢バネ
４５  脱落防止部材
５１  微細塵収容部
６４  第１フィルター
６５  塵埃廃棄口
６６  回動軸
６７  第２廃棄口
６９  ベース部品
７３  第１の気流
７４  第２の気流
【図１】
2010253134.tif 000003
【図２】
2010253134.tif 000004
【図３】
2010253134.tif 000005
【図４】
2010253134.tif 000006
【図５】
2010253134.tif 000007
【図６】
2010253134.tif 000008
【図７】
2010253134.tif 000009
【図８】
2010253134.tif 000010
【図９（ａ）】
2010253134.tif 000011
【図９（ｂ）】
2010253134.tif 000012
【図９（ｃ）】
2010253134.tif 000013
【図１０】
2010253134.tif 000014
【図１１】
2010253134.tif 000015
【図１２】
2010253134.tif 000016
【図１３】
2010253134.tif 000017
【図１４】
2010253134.tif 000018
【図１５】
2010253134.tif 000019